(57)【要約】【課題】緊急通報における１次情報の追加情報である２次情報の受信の確度を向上させる移動通信端末装置、移動通信端末装置制御方法及び通信システムを提供する。【解決手段】ＥＴＷＳＰ受信部１２１は、ＬＴＥ網を用いてプライマリメッセージを受信する。ＥＴＷＳＳ受信部１２２は、ＬＴＥ網を用いてセカンダリメッセージを受信する。３Ｇ処理部１０４は、３Ｇ網を用いて通信を行う。ＣＳＦＢ制御部１０３は、ＬＴＥ網に接続しているときに、３Ｇ網を用いた通信への切替命令を受けて、プライマリメッセージを受信していなければ、ＬＴＥ網から３Ｇ網への接続の切替えを行い、プライマリメッセージを受信しており、且つセカンダリメッセージを受信していなければ、ＬＴＥ網から３Ｇ網への接続の切替えを保留する。【選択図】図２
2013126151.tif 000002
【特許請求の範囲】
【請求項１】
第１の通信網を用いて第１の報知情報及び前記第１の報知情報の追加情報である第２の報知情報を受信する第１通信部と、
第２の通信網を用いて通信を行う第２通信部と、
前記第１の通信網に接続しているときに、前記第２の通信網を用いた通信への切替命令を受けて、前記第１通信部が前記第１報知情報を受信していなければ、前記第１の通信網から前記第２の通信網への接続の切替えを行い、前記第１通信部が前記第１報知情報を受信しており、且つ前記第２報知情報を受信していなければ、前記第１の通信網から前記第２の通信網への接続の切替えを保留する切替制御部と
を備えたことを特徴とする移動通信端末装置。
【請求項２】
前記切替制御部は、前記第１の通信網から前記第２の通信網への接続の切替えを保留している状態で、前記第１通信部が前記第２の報知情報を受信した場合、前記第１の通信網から前記第２の通信網への接続の切替えを開始することを特徴とする請求項１に記載の移動通信端末装置。
【請求項３】
前記切替制御部は、前記切替命令を受けてから所定期間内に、前記第１通信部が前記第２の報知情報を受信しない場合、前記切替命令の送信元に前記切替命令の拒否を通知することを特徴とする請求項１又は請求項２に記載の移動通信端末装置。
【請求項４】
前記切替制御部は、前記切替命令を受けてから所定期間内に、前記第２通信部が前記第２の報知情報を受信しない場合、前記第１の通信網から前記第２の通信網への接続の切替えを開始することを特徴とする請求項１又は請求項２に記載の移動通信端末装置。
【請求項５】
第１の報知情報及び前記第１の報知情報の追加情報である第２の報知情報を受信するための第１の通信網に接続している状態で、前記第２の通信網を用いた通信への切替命令を受信した場合、前記第１の報知情報を受信しているか否かを判定し、
前記第１の報知情報を受信していない場合、前記第１の通信網から前記第２の通信網への接続の切替えを実行し、前記第２の通信網を用いた通信を行い、
前記第１の報知情報を受信しており、且つ前記第２の報知情報を受信していない場合、前記第１の通信網から前記第２の通信網への接続の切替えを行わずに、前記第２の報知情報の受信待ちを継続する
ことを特徴とする移動通信端末装置制御方法。
【請求項６】
第１通信システム、第２通信システム及び移動通信端末装置を有する通信システムであって、
前記第１通信システムは、第１の通信網を用いて、第１の報知情報及び前記第１の報知情報の追加情報である第２の報知情報を前記移動通信端末装置に送信する報知情報送信装置を備え、
前記第２通信システムは、第２の通信網を用いて前記移動通信端末装置と通信を行う通信装置を備え、
前記移動通信端末装置は、
前記第１の通信網を用いて前記報知情報送信装置から送信された前記第１の報知情報及び前記第２の報知情報を受信する第１通信部と、
前記第２の通信網を用いて前記通信装置との間で通信を行う第２通信部と、
前記第１の通信網に接続しているときに、前記第２の通信網を用いた通信への切替命令を受けて、前記第１通信部が前記第１報知情報を受信していなければ、前記第１の通信網から前記第２の通信網への接続の切替えを行い、前記第１通信部が前記第１報知情報を受信しており、且つ前記第２報知情報を受信していなければ、前記第１の通信網から前記第２の通信網への接続の切替えを保留する切替制御部とを備えた
ことを特徴とする通信システム。
【発明の詳細な説明】
【技術分野】
【０００１】
本発明は、移動通信端末装置、移動通信端末装置制御方法及び通信システムに関する。
【背景技術】
【０００２】
近年、次世代高速無線通信方式（または次世代高速無線通信システム）としてＬＴＥ（long  Term  Evolution）が提案されている。ＬＴＥはパケット通信に特化した通信方式である。さらに、ＬＴＥにおける音声通信の実現方法の一つとして、ＩＰ（Internet  Protocol）上で音声を扱うＶｏＩＰ（Voice  of  Internet  Protocol）の提供が検討されている。しかし、現在のところ音声通信としては、ＵＭＴＳ（Universal  Mobile  Telecommunications  System）やＣＤＭＡ（Code  Division  Multiple  Access）２０００が用いられている。このような既存の回線交換ネットワークを有する移動通信システムでは、従来の音声通信とＶｏＩＰによる音声通信との通信の連続性の維持が困難であり、未だＶｏＩＰの導入に対する技術的ハードルが高い。また、パケット交換ネットワークのみを使用する移動通信端末装置では、回線交換ネットワークのみで提供されているサービスを使用することができなくなってしまう。
【０００３】
回線交換による音声通信については、ＵＭＴＳやＣＤＭＡ２０００などの、従来の音声通信用の無線通信システムを利用することが想定される。以下では、従来の音声通信用の無線通信システムにおける通信網を、「従来の通信網」という。具体的には、ＬＴＥ網に移動通信端末装置が在圏する状態で音声着信を受けると、接続する通信網をＬＴＥ網から音声通信用の通信網に切替えた上で、音声通信を行うという方式の利用が想定される。この方式は、ＵＭＴＳ方式、ＧＳＭ（Global  System  for  Mobile  communications）（登録商標）方式又はＣＤＭＡ２０００方式のいずれかの移動通信システムとＬＴＥ方式の移動通信システムとの間で行われる場合、ＣＳＦＢ（Circuit  Switched  FallBack）と呼ばれる。
【０００４】
ＣＳＦＢによる通信網の切替えには大きく分けると２つの方法がある。一つは、ＬＴＥ網との接続開放を行い、従来の通信網の基地局に接続要求を通知して接続し直すリダイレクションという機能を用いて切替えを行う方法である。もう一つは、接続可能な従来の通信網の基地局をＬＴＥ網に接続した状態で検出し、検出した基地局に接続を切替えるハンドオーバという機能を用いて切替えを行う方法である。
【０００５】
また、ＬＴＥ網では、地震や津波などの緊急通報を行う場合に、プライマリメッセージとセカンダリメッセージとに分けて送信するＥＴＷＳ（Earthquake  and  Tsunami  Warning  System）方式が採用されている。プライマリメッセージは、「地震発生」など最も急を有する必要最低限の情報を報知する。セカンダリメッセージは、プライマリメッセージでは伝えきれない補足的な情報を報知する。ＥＴＷＳでは、必要最低限の情報のみを有するサイズの小さいプライマリメッセージを最初に送ることで、最短時間での情報配信を実現している。
【０００６】
ＥＰＣ（Evolved  Packet  Core）方式やＥ−ＵＴＲＡＮ（Evolved  Universal  Terrestrial  Radio  Access）方式の移動通信システムでは、ＥＴＷＳとして次のようなシステムを有する。ＣＢＳ（Cell  Broadcast  Service）プロバイダに接続されているブロードキャスト装置であるＣＢＣ（Cell  Broadcast  Center）、ＭＭＥ（Mobility  Management  Entity）及び無線基地局ｅＮＢ（evolutional  Node  B）を有する。そして、ＣＢＳプロバイダから送出されたメッセージは、ＣＢＣを経由してＭＭＥに送られ、ＭＭＥは各ｅＮＢにメッセージを送信し、移動通信端末装置は、自装置がその通信範囲内に在圏するｅＮＢからメッセージを受け取る。
【０００７】
プライマリメッセージの送信では、ＭＭＥから移動通信端末装置までの到達時間が約４秒と規定されている。
【０００８】
移動通信端末装置による緊急情報の受信の技術として以下のような技術が提案されている。例えば、移動通信端末装置が緊急情報を受信すると、同じ通信網内の他の基地局へのハンドオフを規制する従来技術が提案されている。
【先行技術文献】
【特許文献】
【０００９】
【特許文献１】特開２０１０−２４６１４１号公報
【発明の概要】
【発明が解決しようとする課題】
【００１０】
しかしながら、移動通信端末装置は、ＬＴＥ網に在圏中にプライマリメッセージを受信後、直ちに着呼を受けると、ＣＳＦＢにより在圏システムをＬＴＥからＵＭＴＳやＣＤＭＡ２０００などの従来の通信網に切替えてしまう。リダイレクションにより通信網の切替えを行った場合でも、ハンドオーバにより通信網の切替えを行った場合でも、通信網の切り替え中又は切替え後には、移動通信端末装置とＬＴＥ網との接続は切れている。そのため、この場合、移動通信端末装置は、セカンダリメッセージを受信できなくなるおそれがある。
【００１１】
また、移動通信端末装置が緊急情報を受信すると、同じ通信網内の他の基地局へのハンドオフを規制する従来技術では、他の通信網への切替えを想定していない。そのため、この従来技術を用いても、音声通信のためにＬＴＥ網から従来の通信網への切替えには対処できず、セカンダリメッセージが受信できなくなるおそれがあることは同様である。また、ハンドオフ時の規制しか想定していないため、リダイレクションが行われた場合の切替えの制御は行えず、この点からも全ての音声通信のためにＬＴＥ網から従来の通信網への切替えには対処することは困難である。
【００１２】
開示の技術は、上記に鑑みてなされたものであって、緊急通報における１次情報の追加情報である２次情報の受信の確度を向上させる移動通信端末装置、移動通信端末装置制御方法及び通信システムを提供することを目的とする。
【課題を解決するための手段】
【００１３】
本願の開示する移動通信端末装置及び移動通信端末装置制御方法は、一つの態様において、第１通信部は、第１の通信網を用いて第１の報知情報及び前記第１の報知情報の追加情報である第２の報知情報を受信する。第２通信部は、第２の通信網を用いて通信を行う。切替制御部は、前記第１の通信網に接続しているときに、前記第２の通信網を用いた通信への切替命令を受けて、前記第１通信部が前記第１報知情報を受信していなければ、前記第１の通信網から前記第２の通信網への接続の切替えを行い、前記第１通信部が前記第１報知情報を受信しており、且つ前記第２通信部が前記第２報知情報を受信していなければ、前記第１の通信網から前記第２の通信網への接続の切替えを保留する。
【発明の効果】
【００１４】
本願の開示する移動通信端末装置、移動通信端末装置制御方法及び通信システムの一つの態様によれば、緊急通報における１次情報の追加情報である２次情報の受信の確度を向上させることができるという効果を奏する。
【図面の簡単な説明】
【００１５】
【図１】図１は、実施例１に係る通信システムの全体の構成図である。
【図２】図２は、実施例１に係る移動通信端末装置のブロック図である。
【図３】図３は、実施例１に係る通信システムにおける通信網の切替処理のシーケンス図である。
【図４】図４は、実施例１にかかる移動通信端末装置におけるＣＳＦＢ処理のフローチャートである。
【図５】図５は、移動通信端末装置のハードウェア構成図である。
【発明を実施するための形態】
【００１６】
以下に、本願の開示する移動通信端末装置、移動通信端末装置制御方法及び通信システムの実施例を図面に基づいて詳細に説明する。なお、以下の実施例により本願の開示する移動通信端末装置、移動通信端末装置制御方法及び通信システムが限定されるものではない。
【実施例１】
【００１７】
図１は、実施例１に係る通信システムの全体の構成図である。図２は、実施例１に係る移動通信端末装置のブロック図である。以下では、図１を参照して、ＬＴＥ網及び３Ｇ網を有する通信システムの全体構成を説明した後に、図２を参照して、移動通信端末装置についての詳細を説明する。
【００１８】
図１に示すように、本実施例に係る通信システムは、ＬＴＥ網１と３Ｇ（3rd  Generation）網２とを有している。ＬＴＥ網１は、ＬＴＥ方式の通信（以下では、「ＬＴＥ通信」という。）を行う通信網である。このＬＴＥ網１が、「第１の通信網」の一例にあたる。３Ｇ網２は、ＣＤＭＡ２０００やＵＭＴＳなどの方式の通信を行う従来の通信網である。この３Ｇ網２が、「第２の通信網」の一例にあたる。
【００１９】
本実施例に係る通信システムは、ＬＴＥ網１に、ＰＤＮＧＷ（Public  Data  Network  Gateway）１１、Ｓ−ＧＷ（Serving  Gateway）１２、ＣＢＳプロバイダ１３、ＣＢＣ１４、ＭＭＥ１５及びｅＮＢ１６を有している。また、本実施例に係る通信システムは、３Ｇ網２に、ＭＳＣ（Mobile  services  Switching  Center）２１及びＣＳ（Circuit  Switch）  Ａｃｃｅｓｓ２２を有している。さらに、本実施例に係る通信システムは、ＬＴＥ網１と３Ｇ網２との間にＩＷＳ（InterWorking  solution）３を有している。また、図１では、ＬＴＥ網１に在圏する移動通信端末装置をＵＥ（User  Equipment）１００Ａと表している。さらに、３Ｇ網２に在圏する移動通信端末装置をＵＥ１００Ｂと表している。ただし、ＵＥ１００ＡとＵＥ１００Ｂとは、説明の都合上、符号を異ならせて表しているが、実際には同じ移動通信端末装置であってもよい。以下では、ＬＴＥ網１と３Ｇ網２とを一つの移動通信端末装置が移動する場合で説明するが、その場合、在圏する通信網を区別せずにＵＥ１００と呼ぶ場合がある。言い換えれば、ＵＥ１００がＬＴＥ網１に在圏する場合には、ＵＥ１００Ａとなり、３Ｇ網２に在圏する場合には、ＵＥ１００Ｂとなる。ＵＥ１００は、Ｍｏｂｉｌｅ  Ｓｔａｔｉｏｎと呼ばれることもある。
【００２０】
ＰＤＮＧＷ１１は、インターネットやイントラネットなどＩＰ  Ｓｅｒｖｉｃｅ網４に接続されている。ＰＤＮＧＷ１１は、インターネットやイントラネットなどに接続するためのゲートウェイサーバである。ＰＤＮＧＷ１１は、他の無線通信端末などから送られたパケットをＩＰ  Ｓｅｒｖｉｃｅ網４から受信する。そして、ＰＤＮＧＷ１１は、受信したパケットをＳ−ＧＷ１２へ出力する。
【００２１】
Ｓ−ＧＷ１２は、ユーザデータを取り扱うプロトコル階層であるＵプレーンを用いて、ＬＴＥのパケット交換などを制御するサーバである。例えば、Ｓ−ＧＷ１２は、パケットのルーティングやバッファ処理などを行う。Ｓ−ＧＷ１２は、他の無線通信端末などから送られたパケットをＰＤＮＧＷ１１から受信する。そして、Ｓ−ＧＷ１２は、受信したパケットをＭＭＥ１５へ出力する。
【００２２】
ＣＢＳプロバイダ１３は、３ＧＰＰ（3rd  Generation  Partnership  Project）で標準化されている簡単な文字情報の同報配信を行うサービスの提供元である。ＣＢＳプロバイダ１３は、緊急通報の作成を行い、作成した緊急通報をＣＢＣ１４へ出力する。例えば、ＣＢＳプロバイダ１３は、地震発生後直ちに地震発生を報知するＥＴＷＳのプライマリメッセージの配信要求をＣＢＣ１４へ出力する。その後、ＣＢＳプロバイダ１３は、震源地や震度などの補足的な情報とともにそれらの情報を報知するＥＴＷＳのセカンダリメッセージの配信要求をＣＢＣ１４へ出力する。ここで、プライマリメッセージ及びセカンダリメッセージは、例えば、ＳＭＳ（short  Message  Service）などを用いて送信される。このプライマリメッセージが、「第１の報知情報」の一例にあたる。また、セカンダリメッセージが「第２の報知情報」の一例にあたる。
【００２３】
ＣＢＣ１４は、同報配信用サーバである。ＣＢＣ１４は、地震発生後直ちにプライマリメッセージの配信要求の入力をＣＢＳプロバイダ１３から受ける。そして、ＣＢＣ１４は、配信要求に含まれる情報を用いてプライマリメッセージを生成する。その後、ＣＢＣ１４は、生成したプライマリメッセージをＭＭＥ１５へ出力する。次に、ＣＢＣ１４は、震源地や震度などの補足的な情報とともにセカンダリメッセージの配信要求の入力をＣＢＳプロバイダ１３から受ける。そして、ＣＢＣ１４は、受信した情報を用いてセカンダリメッセージを生成する。その後、ＣＢＣ１４は、生成したセカンダリメッセージをＭＭＥ１５へ出力する。
【００２４】
ＭＭＥ１５は、制御を取り扱うプロトコル階層であるＣプレーンを用いて、ＬＴＥ網１におけるＵＥ１００Ａの位置管理、パケット交換及び基地局装置に対する着信時の呼び出しなどを行うサーバである。
【００２５】
ＭＭＥ１５は、プライマリメッセージをＣＢＣ１４から受信する。そして、ＭＭＥ１５は、受信したプライマリメッセージを指定されたｅＮＢ１６へ出力する。プライマリメッセージ受信後、ＭＭＥ１５は、セカンダリメッセージをＣＢＣ１４から受信する。そして、ＭＭＥ１５は、受信したセカンダリメッセージを指定されたｅＮＢ１６へ出力する。
【００２６】
また、ＭＭＥ１５は、ＵＥ１００への音声通信における着呼があった場合、通話要求の入力をＩＷＳ３から受ける。そして、ＭＭＥ１５は、受信した通話要求をｅＮＢ１６へ出力する。その後、ＭＭＥ１５は、通話要求に対する応答として通話応答の入力をｅＮＢ１６から受ける。そして、ＭＭＥ１５は、受信した通話応答をＩＷＳ３へ出力する。次に、ＭＭＥ１５は、ＬＴＥ網１から３Ｇ網２への通信網の切替要求の入力をＩＷＳ３から受ける。そして、ＭＭＥ１５は、切替要求の対象であるＵＥ１００Ａがその通信エリアに在圏しているｅＮＢ１６へ通信網の切替要求を出力する。そして、ＭＭＥ１５は、通信網の切替要求に対する応答として、着信拒否の通知をｅＮＢ１６から受信すると、音声通信における着呼に対する通信拒否の通知をＩＷＳ３へ出力する。
【００２７】
また、ＭＭＥ１５は、ＬＴＥ網１内にＵＥ１００が在圏した場合に、そのＵＥ１００の位置の情報をｅＮＢ１６から受信する。そして、ＭＭＥ１５は、ｅＮＢ１６から受信したＵＥ１００の位置の情報を登録する。さらに、ＭＭＥ１５は、位置登録を行ったＵＥ１００の情報をＩＷＳ３へ出力する。
【００２８】
ｅＮＢ１６は、無線制御とスケジューリングなどの呼処理を行うＬＴＥ網１の基地局である。
【００２９】
ｅＮＢ１６は、地震が発生するとプライマリメッセージの入力をＭＭＥ１５から受ける。そして、ｅＮＢ１６は、受信したプライマリメッセージを自己の通信エリア内に在圏するＵＥ１００Ａに向けて同報配信する。プライマリメッセージ送信後、ｅＮＢ１６は、セカンダリメッセージの入力をＭＭＥ１５から受ける。そして、ｅＮＢ１６は、受信したセカンダリメッセージを自己の通信エリア内に在圏するＵＥ１００Ａに向けて同報配信する。
【００３０】
また、ｅＮＢ１６は、ＵＥ１００への音声通信における着呼があった場合、通話要求の入力をＭＭＥ１５から受ける。そして、ｅＮＢ１６は、受信した通話要求をＵＥ１００へ送信する。その後、ｅＮＢ１６は、通話要求を受信したことを表す通話応答をＵＥ１００から受信する。そして、ｅＮＢ１６は、受信した通話応答をＭＭＥ１５へ出力する。次に、ｅＮＢ１６は、音声通信の着呼の対象となっているＵＥ１００Ａに対するＣＳＦＢ要求の入力をＭＭＥ１５から受ける。ｅＮＢ１６は、受信したＣＳＦＢ要求を指定されたＵＥ１００Ａへ送信する。ＵＥ１００Ａにおいて着信が拒否された場合、ｅＮＢ１６は、ＣＳＦＢ要求の応答として着信拒否の通知をＵＥ１００Ａから受信する。そして、ｅＮＢ１６は、受信した着信拒否の通知をＭＭＥ１５へ出力する。
【００３１】
ＣＢＳプロバイダ１３、ＣＢＣ１４、ＭＭＥ１５及びｅＮＢ１６などが、「報知情報送信装置」の一例にあたる。
【００３２】
ＭＳＣ２１は、３Ｇ通信網において呼の接続の制御などを行う移動交換局である。ＭＳＣ２１は、ＬＴＥ網１において位置登録が行われたＵＥ１００Ａの情報の入力をＩＷＳ３から受ける。そして、ＭＳＣ２１は、ＬＴＥ網１に在圏するＵＥ１００Ａの情報を記憶しておく。
【００３３】
ＭＳＣ２１は、他の移動通信端末装置からの音声通信の着呼を受信する。そして、ＭＳＣ２１は、ＬＴＥ網１に在圏するＵＥ１００Ａの情報から、受信した音声通話の着呼の対象のＵＥ１００がＬＴＥ網１又は３Ｇ網２のいずれに在圏しているかを判定する。３Ｇ網２に着呼の対象のＵＥ１００が在圏している場合、ＭＳＣ２１は、そのＵＥ１００に対する着呼をＣＳ  Ａｃｃｅｓｓ２２へ出力する。
【００３４】
これに対して、ＬＴＥ網１に着呼の対象のＵＥ１００が在圏している場合、ＭＳＣ２１は、通話要求をＩＷＳ３へ出力する。その後、ＭＳＣ２１は、通話要求を受信したことを表す通話応答の入力をＩＷＳ３から受ける。次に、ＭＳＣ２１は、そのＵＥ１００に対するＬＴＥ網１から３Ｇ網２への通信網の切替えの実施の要求であるＣＳＦＢ要求をＩＷＳ３へ出力する。そして、ＣＳＦＢ要求に対する応答として、ＭＳＣ２１は、切替完了の通知の入力をＣＳ  Ａｃｃｅｓｓ２２から受ける又は着信拒否の通知の入力をＩＷＳ３から受ける。切替完了の通知を受けた場合、ＭＳＣ２１は、対象のＵＥ１００に対する着呼をＣＳ  Ａｃｃｅｓｓ２２へ出力する。一方、着信拒否の通知の入力を受けた場合、ＭＳＣ２１は、音声通信の要求元の他の移動通信端末装置に向けて着信拒否の通知を送信する。
【００３５】
ＭＳＣ２１は、他の移動通信端末装置とＵＥ１００Ｂとの間で音声通信の接続が確立すると、他の移動通信端末装置とＵＥ１００Ｂとの間における音声データの中継を行う。
【００３６】
ＣＳ  Ａｃｃｅｓｓ２２は、ＵＥ１００において通信網の切替が行われた場合、切替完了の通知をＵＥ１００から受信する。そして、ＣＳ  Ａｃｃｅｓｓ２２は、切替完了の通知をＭＳＣ２１へ出力する。
【００３７】
また、ＣＳ  Ａｃｃｅｓｓ２２は、ＵＥ１００Ｂに対する着呼の入力をＭＳＣ２１から受ける。そして、ＣＳ  Ａｃｃｅｓｓ２２は、指定されたＵＥ１００Ｂに対して着呼を送信する。ＣＳ  Ａｃｃｅｓｓ２２は、着呼への応答をＵＥ１００Ｂから受信する。そして、ＣＳ  Ａｃｃｅｓｓ２２は、着呼への応答をＭＳＣ２１へ出力する。
【００３８】
ＣＳ  Ａｃｃｅｓｓ２２は、他の移動通信端末装置とＵＥ１００Ｂとの間で音声通信の接続が確立すると、ＵＥ１００Ｂから受信した音声データのＭＳＣ２１への出力、及びＭＳＣ２１から受信した音声データのＵＥ１００Ｂへの出力を行う。ＣＳ  Ａｃｃｅｓｓ２２は、Ｂａｓｅ  Ｓｔａｔｉｏｎ（ＢＳ）と呼ばれることもある。
【００３９】
ＭＳＣ２１及びＣＳ  Ａｃｃｅｓｓ２２が、「通信装置」の一例にあたる。
【００４０】
ＩＷＳ３は、ＬＴＥ網１と３Ｇ網２とを接続する交換局である。ＵＥ１００がＬＴＥ網１に在圏した場合、ＩＷＳ３は、ＬＴＥ網１における位置登録が行われたＵＥ１００Ａの情報の入力をＭＭＥ１５から受ける。そして、ＩＷＳ３は、ＬＴＥ網１における位置登録が行われたＵＥ１００Ａの情報をＭＳＣ２１へ出力する。
【００４１】
また、ＩＷＳ３は、ＵＥ１００への音声通信における着呼があった場合、通話要求の入力をＭＳＣ２１から受ける。そして、ＩＷＳ３は、受信した通話要求をＭＭＥ１５へ出力する。その後、ＩＷＳ３は、通話要求に対する応答である通話応答をＭＭＥ１５から受信する。そして、ＩＷＳ３は、受信した通話応答をＭＳＣ２１へ出力する。次に、ＩＷＳ３は、ＣＳＦＢ要求の入力をＭＳＣ２１から受ける。ＩＷＳ３は、ＣＳＦＢ要求の入力を受けて、通信網を３Ｇ網２に切替える切替要求をＭＭＳ１５へ出力する。その後、ＵＥ１００Ａにおいて着信が拒否された場合、ＩＷＳ３は、通信網の切替要求への応答として着信拒否の通知を受ける。そして、ＩＷＳ３は、受信した着信拒否の通知をＭＳＣ２１へ出力する。
【００４２】
次に、図２を参照して、本実施例に係るＵＥ１００について詳細に説明する。ＵＥ１００は、通信制御部１０１、ＬＴＥ処理部１０２、ＣＳＦＢ制御部１０３、３Ｇ処理部１０４、アプリケーション実行部１０５及び入出力制御部１０６を有している。
【００４３】
通信制御部１０１は、ＵＥ１００がＬＴＥ網１に在圏する場合には、ＩＰ  Ｓｅｒｖｉｃｅ網４から送られてきたパケットなどをｅＮＢ１６から受信する。そして、通信制御部１０１は、受信したパケットをベースバンド信号に変換して、ＬＴＥ処理部１０２へ出力する。また、プライマリメッセージを受信すると、通信制御部１０１は、ＥＴＷＳＰ受信部１２１へプライマリメッセージを出力する。また、セカンダリメッセージを受信すると、通信制御部１０１は、ＥＴＷＳＳ受信部１２２へセカンダリメッセージを出力する。さらに、通信制御部１０１は、ＬＴＥ処理部１０２からベースバンド信号であるパケットを受信すると、受信したパケットを無線信号に変換してｅＮＢ１６へ送信する。
【００４４】
また、通信制御部１０１は、ＵＥ１００がＬＴＥ網１に在圏している状態で音声通信の着呼があった場合、通話要求をｅＮＢ１６から受信する。そして、通信制御部１０１は、受信した通話要求を音声着信部１２３へ出力する。その後、通信制御部１０１は、通話要求を受信したことを示す通話応答の入力を音声着信部１２３から受ける。そして、通信制御部１０１は、受信した通話応答をｅＮＢ１６へ送信する。
【００４５】
また、ＬＴＥ網１から３Ｇ網２への通信網の切替要求の入力をｅＮＢ１６から受ける。ここで、通信網の切替要求は、例えば、リダイレクションメッセージ又はハンドオフコマンドなどである。そして、通信制御部１０１は、受信した通信網の切替要求を音声着信部１２３へ出力する。その後、通信制御部１０１は、通信網の切替要求に対する応答として切替完了の通知又は着信拒否の通知の入力を音声着信部１２３から受ける。そして、ＣＳＦＢ制御部１０３は、切替要求に対する応答として実施の通知の入力を受けた場合、切替完了の通知をＣＳ  Ａｃｃｅｓｓ２２へ出力する。また、ＣＳＦＢ制御部１０３は、切替要求に対する応答として着信拒否の通知の入力を受けた場合、着信拒否の通知をＭＭＥ１５へ出力する。
【００４６】
また、通信制御部１０１は、ＵＥ１００が３Ｇ網２に在圏する場合には、音声通信の着呼音声データをＣＳ  Ａｃｃｅｓｓ２２から受信する。そして、通信制御部１０１は、受信した音声データをベースバンド信号に変換して、３Ｇ処理部１０４へ出力する。また、音声通信の接続が確立した後は、通信制御部１０１は、ＣＳ  Ａｃｃｅｓｓ２２から受信した音声データを３Ｇ処理部１０４へ出力し、また、３Ｇ処理部１０４から入力された音声データをＣＳ  Ａｃｃｅｓｓ２２へ送信する。
【００４７】
ＬＴＥ処理部１０２は、ＥＴＷＳＰ受信部１２１、ＥＴＷＳＳ受信部１２２及び音声着信部１２３を有している。
【００４８】
ＥＴＷＳＰ受信部１２１は、プライマリメッセージの入力を通信制御部１０１から受ける。そして、ＥＴＷＳＰ受信部１２１は、プライマリメッセージの受信をＣＳＦＢ制御部１０３に通知する。また、ＥＴＷＳＰ受信部１２１は、受信したプライマリメッセージをアプリケーション実行部１０５へ出力する。
【００４９】
ＥＴＷＳＳ受信部１２２は、セカンダリメッセージの入力を通信制御部１０１から受ける。そして、ＥＴＷＳＳ受信部１２２は、セカンダリメッセージの受信をＣＳＦＢ制御部１０３に通知する。また、ＥＴＷＳＳ受信部１２２は、受信したセカンダリメッセージをアプリケーション実行部１０５へ出力する。
【００５０】
音声着信部１２３は、通話要求を通信制御部１０１を介してｅＮＢ１６から受ける。そして、音声着信部１２３は、通話要求を受信したことを通知するための通話応答を通信制御部１０１を介してｅＮＢ１６へ送信する。
【００５１】
音声着信部１２３は、通信網の切替要求の入力を通信制御部１０１から受ける。そして、音声着信部１２３は、通信網の切替要求をＣＳＦＢ制御部１０３へ出力する。音声着信部１２３は、通信網の切替要求に対する応答として切替完了の通知又は着信拒否の通知の入力をＣＳＦＢ制御部１０３から受ける。そして、音声着信部１２３は、受信した切替完了の通知又は着信拒否の通知を通信制御部１０１へ出力する。
【００５２】
また、ＬＴＥ処理部１０２は、通信網の切替処理の実行要求をＣＳＦＢ制御部１０３から受信すると、通信網の切替処理を実施する。
【００５３】
さらに、ＬＴＥ処理部１０２は、ベースバンド信号に変換されたＩＰ  Ｓｅｒｖｉｃｅ網４から送られてきたパケットなどを通信制御部１０１から受信する。そして、ＬＴＥ処理部１０２は、受信したパケットに対して復号化処理などを施す。その後、ＬＴＥ処理部１０２は、復号化処理などを施したパケットをアプリケーション実行部１０５へ出力する。また、ＬＴＥ処理部１０２は、他の移動通信端末装置などに送信するデータのパケットの入力をアプリケーション実行部１０５から受ける。そして、ＬＴＥ処理部１０２は、アプリケーション実行部１０５から受信したパケットに対して符号化処理などを施す。その後、ＬＴＥ処理部１０２は、符号化処理などを施したパケットを通信制御部１０１へ出力する。このＬＴＥ処理部１０２が、「第１通信部」の一例にあたる。
【００５４】
ＣＳＦＢ制御部１０３は、タイマを有している。ＣＳＦＢ制御部１０３は、プライマリメッセージの入力をＥＴＷＳＰ受信部１２１から受ける。そして、ＣＳＦＢ制御部１０３は、プライマリメッセージを受信すると、自己のタイマを用いて時間計測を開始し、予め設定された制限時間Ｔになるまで時間を計測する。ここで、制限時間Ｔは、ＭＳＣ１５がＣＳＦＢ要求を送信してからＣＳＦＢ完了の通知を受けるまでの時間が、制限時間として規定されている時間（以下では、「ＴｉｍｅｒＡ」という。）以内になるように設定される。本実施例では、例えば、ＭＳＣ１５がＣＳＦＢ要求を出力してからＵＥ１００が切替要求を受信するまでの時間とＵＥ１００が切替完了通知を出力してからＭＳＣ１５がＣＳＦＢ完了の通知を受信するまでの時間の合計を求め、ＴｉｍｅｒＡから求めた時間を減算した値を制限時間Ｔとして設定する。この制限時間Ｔが、「所定期間」の一例にあたる。
【００５５】
また、ＣＳＦＢ制御部１０３は、セカンダリメッセージの入力をＥＴＷＳＳ受信部１２２から受ける。
【００５６】
また、ＣＳＦＢ制御部１０３は、通信網の切替要求の受信の通知を音声着信部１２３から受ける。そして、ＣＳＦＢ制御部１０３は、通信網の切替要求の受信の通知を受けた時点で、プライマリメッセージを受信しているか否か及びセカンダリメッセージを受信しているか否かを判定する。
【００５７】
いずれのメッセージも受信していない場合又は両方のメッセージを受信している場合、ＣＳＦＢ制御部１０３は、切替要求に応じてＬＴＥ処理部１０２及び３Ｇ処理部１０４に対して以下のような通信網の切替処理を行わせる。例えば、切替要求としてハンドオフコマンドが用いられている場合、ＣＳＦＢ制御部１０３は、通信可能なＣＳ  Ａｃｃｅｓｓ２２の検出を３Ｇ処理部１０４に行わせる。そして、ＣＳＦＢ制御部１０３は、接続しているｅＮＢ１６から検出したＣＳ  Ａｃｃｅｓｓ２２へのハンドオーバ処理をＬＴＥ処理部１０２及び３Ｇ処理部１０４に実施させる。その後、ＣＳＦＢ制御部１０３は、切替完了の通知の送信を３Ｇ処理部１０４に実行させる。また、例えば、切替要求としてリダイレクションメッセージが用いられている場合、ＣＳＦＢ制御部１０３は、ＬＴＥ網１への接続の解放をｅＮＢ１６へ通知してＬＴＥ網１との接続を解放することをＬＴＥ処理部１０２に実施させる。その後、ＣＳＦＢ制御部１０３は、接続要求をＣＳ  Ａｃｃｅｓｓ２２へ送信して３Ｇ網２との接続を確立することを３Ｇ処理部１０４に実施させる。その後、ＣＳＦＢ制御部１０３は、切替完了の通知の送信を３Ｇ処理部１０４に実行させる。
【００５８】
プライマリメッセージを受信しており、セカンダリメッセージを受信していない場合、ＣＳＦＢ制御部１０３は、自己のタイマによる計測時間が制限時間Ｔを超えていなければ、通信網の切替処理を保留する。その後、ＣＳＦＢ制御部１０３は、計測時間が制限時間Ｔを超えるまでセカンダリメッセージの受信待ちの状態を継続する。制限時間Ｔの間にセカンダリメッセージを受信した場合、ＣＳＦＢ制御部１０３は、いずれのメッセージも受信していないときと同様の切替要求に応じた通信網の切替処理を行う。また、制限時間Ｔを経過するまでにセカンダリメッセージを受信しない場合、ＣＳＦＢ制御部１０３は、着信拒否の通知を音声着信部１２３へ出力する。このＣＳＦＢ制御部１０３が、「切替制御部」の一例にあたる。
【００５９】
３Ｇ処理部１０４は、ベースバンド信号に変換された他の無線通信端末装置からの音声データを通信制御部１０１から受信する。そして、３Ｇ処理部１０４は、受信した音声データに対して復号化処理などを施す。その後、３Ｇ処理部１０４は、復号化処理などを施した音声データをアプリケーション実行部１０５へ出力する。また、ＬＴＥ処理部１０２は、他の移動通信端末装置などに送信する音声データの入力をアプリケーション実行部１０５から受ける。そして、ＬＴＥ処理部１０２は、アプリケーション実行部１０５から受信した音声データに対して符号化処理などを施す。その後、ＬＴＥ処理部１０２は、符号化処理などを施した音声データを通信制御部１０１へ出力する。ここで、本実施例では、３Ｇ網２を用いた通信として音声通信を例に説明したが、これに限らず、３Ｇ処理部１０４は、他の形式のデータ通信を行ってもよい。
【００６０】
また、３Ｇ処理部１０４は、通信網の切替処理の実行要求をＣＳＦＢ制御部１０３から受信すると、通信網の切替処理を実施する。その後、３Ｇ処理部１０４は、切替完了の通知の送信の指示をＣＳＦＢ制御部１０３から受ける。そして、３Ｇ処理部１０４は、切替完了の通知を通信制御部１０１を介してＣＳ  Ａｃｃｅｓｓ２２へ送信する。この３Ｇ処理部１０４が、「第２通信部」の一例にあたる。
【００６１】
アプリケーション実行部１０５は、パケットの入力をＬＴＥ処理部１０２から受ける。そして、アプリケーション実行部１０５は、受信したパケットを用いて対応するアプリケーションを実行し、実行結果などを入出力制御部１０６へ出力する。例えば、アプリケーション実行部１０５は、プライマリメッセージの入力をＥＴＷＳＰ受信部１２１から受ける。そして、アプリケーション実行部１０５は、予め決められた表示フォーマットを用いてプライマリメッセージからプライマリメッセージの表示画面を生成し、生成したプライマリメッセージの表示画面を入出力制御部１０６へ表示命令とともに出力する。また、例えば、アプリケーション実行部１０５は、セカンダリメッセージの入力をＥＴＷＳＳ受信部１２２から受ける。そして、アプリケーション実行部１０５は、予め決められた表示フォーマットを用いてセカンダリメッセージからセカンダリメッセージの表示画面を生成し、生成したセカンダリメッセージの表示画面を表示命令とともに入出力制御部１０６へ出力する。
【００６２】
また、アプリケーション実行部１０５は、音声データの入力を３Ｇ処理部１０４から受ける。そして、アプリケーション実行部１０５は、受信した音声データの出力を入出力制御部１０６に指示する。
【００６３】
また、アプリケーション実行部１０５は、操作者からの入力データを入出力制御部１０６から受信する。そして、アプリケーション実行部１０５は、入力データに対応するアプリケーションを実行する。アプリケーションの実行においてパケット通信が要求された場合、アプリケーション実行部１０５は、送信するパケットを生成し、生成したパケットをＬＴＥ処理部１０２へ出力する。また、音声通信を行う場合、アプリケーション実行部１０５は、操作者から入力された音声データを３Ｇ処理部１０４へ出力する。
【００６４】
次に、図３を参照して、本実施例に係る通信システムにおける通信網の切替要求受信時にプライマリメッセージを受信している場合の処理の流れについて説明する。図３は、実施例１に係る通信システムにおける通信網の切替処理のシーケンス図である。図３では、各装置から延びている縦軸に沿って時間の経過を表している。そして、各装置から延びている縦軸上に表される処理は各装置によりその時点で実行される処理を表している。また、各装置から延びている縦軸間を結ぶ矢印はデータの流れを表している。また、説明の便宜上、図３では、緊急情報の通知におけるＭＭＥ１５より上流の装置を省略している。さらに、説明の便宜上、図３では、ｅＮＢ１６を省略している。実際には、ＭＭＥ１５とＵＥ１００との間で、ｅＮＢ１６がデータの送受信の中継を行っている。また、図３で表されるシーケンスが始まる状態では、ＵＥ１００は、ＬＴＥ網１に在圏している。
【００６５】
ＭＭＥ１５は、ＥＴＷＳのプライマリメッセージをＵＥ１００へ送信する（ステップＳ１）。
【００６６】
ＭＳＣ２１は、ＥＴＷＳセカンダリメッセージをＭＭＥ１５が送信する前に、通話要求をＩＷＳ３へ送信する（ステップＳ２）。ＩＷＳ３は、ＭＳＣ２１から受信した通話要求をＭＭＥ１５へ送信する（ステップＳ３）。ＭＭＥ１５は、ＩＷＳ３から受信した通話要求をＵＥ１００へ送信する（ステップＳ４）。
【００６７】
ＵＥ１００は、通話要求を受信すると、通話要求を受信したことを通知する通話応答をＭＭＥ１５へ出力する（ステップＳ５）。ＭＭＥ１５は、ＵＥ１００から受信した通話応答をＩＷＳ３へ送信する（ステップＳ６）。ＩＷＳ３は、ＭＭＥ１５から受信した通話応答をＭＳＣ２１へ送信する（ステップＳ３）。
【００６８】
ＭＳＣ２１は、通話応答を受信すると、ＵＥ１００がＬＴＥ網１に在圏していることを確認し、ＣＳＦＢ要求をＩＷＳ３へ送信する（ステップＳ８）。ＩＷＳ３は、ＣＳＦＢ要求を受信すると、通信網の切替要求をＭＭＥ１５に送信する（ステップＳ９）。ＭＭＥ１５は、ＩＷＳ３から受信した通信網の切替要求をＵＥ１００へ送信する（ステップＳ１０）。
【００６９】
ＵＥ１００は、通信網の切替要求を受信すると、ＥＴＷＳのプライマリメッセージを受信しているか否かを確認する。ここではＥＴＷＳのプライマリメッセージを受信しており、その場合、ＵＥ１００は、通信網の切替要求に応じたＬＴＥ網１から３Ｇ網２への通信網の切替えの処理を保留する（ステップＳ１１）。そして、ＵＥ１００は、ＥＴＷＳのセカンダリメッセージの到着を待つ。
【００７０】
ＵＥ１００は、ＥＴＷＳのセカンダリメッセージをＭＭＥ１５から受信する（ステップＳ１２）。
【００７１】
ＥＴＷＳのセカンダリメッセージを受信すると、ＵＥ１００は、通信網の切替要求に応じたＬＴＥ網１から３Ｇ網２への通信網の切替えの処理を再開する（ステップＳ１３）。
【００７２】
そして、ＵＥ１００は、通信網の切替が完了すると、切替完了の通知をＣＳ  Ａｃｃｅｓｓ２２へ送信する（ステップＳ１４）。このとき、ＭＳＣ２１からＣＳＦＢ要求が送信されてから、ＣＳ  Ａｃｃｅｓｓ２２に切替完了の通知が送信されるまでの時間は、ＴｉｍｅｒＡ以内となる。ＣＳ  Ａｃｃｅｓｓ２２は、切替完了の通知をＵＥ１００から受信すると、ＣＳＦＢ完了の通知をＭＳＣ２１へ送信する（ステップＳ１５）。
【００７３】
次に、図４を参照して、本実施例に係る移動通信端末装置におけるＣＳＦＢ処理の流れを説明する。図４は、実施例１に係る移動通信端末装置におけるＣＳＦＢ処理のフローチャートである。
【００７４】
ＵＥ１００は、ＬＴＥ網１に在圏する（ステップＳ１０１）。
【００７５】
音声着信部１２３は、音声着信を受ける（ステップＳ１０２）。
【００７６】
ＣＳＦＢ制御部１０３は、音声着信の受信の通知の入力を音声着信部１２３から受ける。そして、ＣＳＦＢ制御部１０３は、ＥＴＷＳのプライマリメッセージをＥＴＷＳＰ受信部１２１が受信しているか否かを判定する（ステップＳ１０３）。ＥＴＷＳＰ受信部１２１がプライマリメッセージを受信していない場合（ステップＳ１０３：否定）、ＣＳＦＢ制御部１０３は、ＣＳＦＢの処理を開始する（ステップＳ１１１）。その後、ＣＳＦＢ制御部１０３によるＣＳＦＢの処理が完了すると、ＵＥ１００は音声通話を開始する（ステップＳ１０８）。
【００７７】
これに対して、ＥＴＷＳＰ受信部１２１がプライマリメッセージを受信している場合（ステップＳ１０３：肯定）、ＣＳＦＢ制御部１０３は、在圏するＬＴＥ網１から３Ｇ網２への通信網の切替えの処理であるＣＳＦＢの処理を保留する（ステップＳ１０４）。そして、ＣＳＦＢ制御部１０３は、タイマを開始し制限時間Ｔを計測する（ステップＳ１０５）。
【００７８】
その後、ＣＳＦＢ制御部１０３は、ＥＴＷＳＳ受信部１２２がＥＴＷＳのセカンダリメッセージを受信したか否かを判定する（ステップＳ１０６）。ＥＴＷＳＳ受信部１２２がセカンダリメッセージを受信した場合（ステップＳ１０６：肯定）、ＣＳＦＢ制御部１０３は、ＣＳＦＢの処理を再開する（ステップＳ１０７）。その後、ＣＳＦＢ制御部１０３によるＣＳＦＢの処理が完了すると、ＵＥ１００は音声通話を開始する（ステップＳ１０８）。
【００７９】
これに対して、ＥＴＷＳＳ受信部１２２がセカンダリメッセージを受信していない場合（ステップＳ１０６：否定）、ＣＳＦＢ制御部１０３は、制限時間Ｔが経過したか否かを判定する（ステップＳ１０９）。制限時間Ｔが経過していない場合（ステップＳ１０９：否定）、ＣＳＦＢ制御部１０３は、ステップＳ１０６へ戻り、制限時間Ｔが経過するまで、セカンダリメッセージを待つ。
【００８０】
一方、制限時間Ｔが経過した場合（ステップＳ１０９：肯定）、ＣＳＦＢ制御部１０３は、着信拒否の通知を音声着信部１２３に出力してＣＳＦＢの処理をキャンセルし、ＥＴＷＳのセカンダリメッセージの受信まで待機する（ステップＳ１１０）。
【００８１】
以上に説明したように、本実施例に係る移動通信端末装置は、ＬＴＥ網に在圏しＥＴＷＳのプライマリメッセージを受信している状態で音声着信を受けても、セカンダリメッセージを受信していなければ、３Ｇ網への切替えを行わずにセカンダリメッセージを待つ。これにより、本実施例に係る移動通信端末装置は、セカンダリメッセージの受信の確度を向上させることができる。
【００８２】
また、例えば、緊急情報の受信時にハンドオーバ先を制限する方法では、リダイレクションによる通信網の切替えに対応することは困難である。これに対して、本実施例に係る移動通信端末装置であれば、通信網の切替えとしてハンドオーバ又はリダイレクションのいずれの方法を用いた場合でも、セカンダリメッセージの受信を待っている状態であれば、通信網の切替えを抑制することができる。そのため、本実施例に係る移動通信端末装置によれば、セカンダリメッセージの受信をより確実に行うことができる。
【実施例２】
【００８３】
次に、実施例２について説明する。本実施例に係る移動通信端末装置は、セカンダリメッセージの受信待機の制限時間Ｔを超過した場合に、音声通話を優先することが実施例１と異なるものである。そこで、以下では、制限時間Ｔ超過後の動作について主に説明する。本実施例に係る移動通信端末装置のブロック図も図２で表される。実施例１と同じ符号を有する各部は、特に説明のない限り同じ機能を有するものとする。
【００８４】
ＣＳＦＢ制御部１０３は、通信網の切替要求を音声着信部１２３から受けた時点でＥＴＷＳＰ受信部がプライマリメッセージを既に受信している場合、タイマを開始する。そして、ＣＳＦＢ制御部１０３は、制限時間Ｔを超過するまで、通信網の切替えを保留しセカンダリメッセージの受信を待つ。
【００８５】
制限時間Ｔを超えた時点で、ＥＴＷＳＳ受信部１２２がセカンダリメッセージを受信していなければ、ＣＳＦＢ制御部１０３は、在圏するＬＴＥ網１から３Ｇ網２への通信網の切替えを開始する。そして、ＣＳＦＢ制御部１０３は、通信網の切替えが完了すると、切替完了の通知を音声着信部１２３へ出力する。この後、ＵＥ１００と音声通信の着呼の送信元との間で音声通信が確立され、利用者はＵＥ１００を用いて音声通話を行う。
【００８６】
以上に説明したように、本実施例に係る移動通信端末装置は、制限時間内にセカンダリメッセージが到着しなければ、通信網を３Ｇ網に切替えて音声通話を実行する。これにより、音声通話を継続できる限界までセカンダリメッセージの受信を待った上で、音声通信を確実に行うことができる。すなわち、セカンダリメッセージの受信と音声通話の継続とのバランスをとることができる。
【００８７】
（ハードウェア構成）
次に、図５を参照して、各実施例に係る移動通信端末装置のハードウェア構成について説明する。図５は、移動通信端末装置のハードウェア構成図である。
【００８８】
図５に示すように、以上の各実施例に係る移動通信端末装置であるＵＥ１００は、無線通信部９０１、プロセッサ９０２、メモリ９０３、表示部９０４、操作部９０５、電池９０６及びアンテナ９０７を有している。
【００８９】
電池９０６は、点線で囲われた各部に電力を供給する。
【００９０】
無線通信部９０１、メモリ９０３、表示部９０４及び操作部９０５は、それぞれバスによってプロセッサ９０２と接続されている。
【００９１】
無線通信部９０１は、アンテナ９０７に接続されている。無線通信部９０１は、例えば図２に示した通信制御部１０１の機能を実現する。
【００９２】
表示部９０４は、例えば液晶画面などの表示装置である。また、操作部９０５は、キーパッドなどの入力装置である。表示部９０４、操作部９０５及びプロセッサ９０２によって、例えば、図２における入出力制御部１０６の機能が実現される。
【００９３】
プロセッサ９０２及びメモリ９０３は、例えば、図２に示したＬＴＥ処理部１０２、ＣＳＦＢ制御部１０３、３Ｇ処理部１０４及びアプリケーション実行部１０５の機能を実現する。例えば、メモリ９０３は、図２に示したＬＴＥ処理部１０２、ＣＳＦＢ制御部１０３、３Ｇ処理部１０４及びアプリケーション実行部１０５などによる処理を実現する各種プログラムを記憶している。そして、プロセッサ９０２及びメモリ９０３は、これらの各種プログラムを読み出して実行することで、上述した各機能を実現するプロセスを生成する。
【符号の説明】
【００９４】
１  ＬＴＥ網
２  ３Ｇ網
３  ＩＷＳ
４  ＩＰ  Ｓｅｒｖｉｃｅ網
１１  ＰＤＮＧＷ
１２  Ｓ−ＧＷ
１３  ＣＢＳプロバイダ
１４  ＣＢＣ
１５  ＭＭＥ
１６  ｅＮＢ
２１  ＭＳＣ
２２  ＣＳ  Ａｃｃｅｓｓ
１００、１００Ａ、１００Ｂ  ＵＥ
１０１  通信制御部
１０２  ＬＴＥ処理部
１０３  ＣＳＦＢ制御部
１０４  ３Ｇ処理部
１０５  アプリケーション実行部
１０６  入出力制御部
１２１  ＥＴＷＳＰ受信部
１２２  ＥＴＷＳＳ受信部
１２３  音声着信部
【図１】
2013126151.tif 000003
【図２】
2013126151.tif 000004
【図３】
2013126151.tif 000005
【図４】
2013126151.tif 000006
【図５】
2013126151.tif 000007